(57)【特許請求の範囲】
【請求項１】
ペットの胴回りに巻きつけられて装着されるペット用吸収性物品であって、該ペット用吸収性物品は、
液透過性の不織布を有する表面シートと、
液不透過性の裏面層と、
前記表面シートと前記裏面層の間に配置される吸収体と、
前記ペット用吸収性物品の長手方向において互いに対向する第１端部及び第２端部と、
前記ペット用吸収性物品の幅方向において互いに対向する一対の側部と、
前記第１端部の近傍の前記表面シート側に、前記ペット用吸収性物品の幅方向に沿って配置されるフック部材と、
前記第２端部の近傍の前記裏面層側に設けられ前記フック部材に係合可能な第１被係合部と、
前記ペット用吸収性物品の長手方向に延びて形成される一対の折線と、
前記第１端部の近傍の前記表面シート側における前記一対の折線よりも前記ペット用吸収性物品の幅方向の外側にそれぞれ設けられ、前記一対の折線を起点として前記一対の側部を折り返した状態で、前記フック部材の少なくとも一部を覆って前記表面シートの前記フック部材に対する係合力よりも弱い係合力で該フック部材に係合可能な第２被係合部と、を備えるペット用吸収性物品。
【請求項２】
前記一対の側部それぞれにおける前記表面シート側に配置されると共に、外側縁が前記表面シート又は前記裏面層に接合され内側縁の少なくとも一部が自由端となった一対のサイドシートを更に備え、
前記一対のサイドシートの内側縁は、前記一対の折線よりも内側に位置する請求項１に記載のペット用吸収性物品。
【請求項３】
前記一対の折線を起点として前記一対の側部を折り返した状態で、前記一対のサイドシートの外側縁は、前記一対のサイドシートの内側縁よりも前記ペット用吸収性物品の幅方向の内側に位置する請求項２に記載のペット用吸収性物品。
【請求項４】
前記裏面層及び前記サイドシートは、前記フック部材に係合可能な不織布を含んで構成され、
前記サイドシートの前記フック部材に対する係合力は、前記裏面層の前記フック部材に対する係合力よりも弱い請求項２又は３に記載のペット用吸収性物品。
【請求項５】
前記一対の折線は、前記フック部材よりも前記ペット用吸収性物品の幅方向の外側に形成される請求項１〜４のいずれかに記載のペット用吸収性物品。
【請求項６】
前記一対のフック部材の長手方向における対向する端部は、前記一対の折線よりも前記ペット用吸収性物品の幅方向の外側に位置する請求項１〜４のいずれかに記載のペット用吸収性物品。
【請求項７】
前記フック部材の長手方向の長さは、前記ペット用吸収性物品の幅方向の長さの３０％〜８０％であり、
前記一対の折線を起点として前記一対の側部を折り返した状態で、前記フック部材において前記第２被係合部により覆われる部分の面積は、前記フック部材の面積の５０％〜１００％である請求項１〜６のいずれかに記載のペット用吸収性物品。
【請求項８】
前記フック部材の長手方向の長さは、前記ペット用吸収性物品の幅方向の長さの４５％〜７０％であり、
前記一対の折線を起点として前記一対の側部を折り返した状態で、前記フック部材において前記第２被係合部により覆われる部分の面積は、前記フック部材の面積の５０％〜１００％である請求項１〜６のいずれかに記載のペット用吸収性物品。
【請求項９】
前記第２被係合部は、前記一対のサイドシートの一部により構成される請求項２〜８のいずれかに記載のペット用吸収性物品。
【請求項１０】
前記第２被係合部は、前記サイドシートとは独立した素材により構成される請求項２〜８のいずれかに記載のペット用吸収性物品。
【請求項１１】
前記一対の折線は、前記吸収体に形成されている請求項１〜１０のいずれかに記載のペット用吸収性物品。
【発明の詳細な説明】
【技術分野】
【０００１】
本発明は、ペット用吸収性物品に関する。
【背景技術】
【０００２】
犬やネコ等のペットに用いられるペット用使い捨ておむつが、発明者等に知られている。このようなペット用使い捨ておむつは、装着状態において、ペットの肛門部及び後足の付け根間に位置する尿道口を覆うことで、ペットの糞及び尿を捕捉している。
【０００３】
ペットの種類（例えば、胴長短足犬であるミニチュアダックスフンド）によっては、尿道口の位置が後足の付け根間よりも前方に位置する場合がある。また、雄犬は、雌犬に比して、尿道口が前方に位置する。このように、尿道口が後足の付け根間よりも前方に位置するペットに、ペット用使い捨ておむつを装着した場合には、おむつから尿道口が露出してしまい、ペットの尿がもれてしまう場合があった。
【０００４】
そこで、帯状に構成され、ペットの胴回り部に巻きつけて装着されるペット用吸収性物品が発明者等に知られている。
【０００５】
このような帯状に構成されたペット用吸収性物品によれば、尿道口の位置にかかわらず、確実に尿道口を覆って装着させられる。
【０００６】
このようなペット用吸収性物品には、ペット用吸収性物品の長手方向の一端側に位置する第１端部領域の内面に、係合部材であるフック部材が配置されており、その他端側に位置する第２端部領域の外面には、ループ部材や不織布等のフック部材に係合する被係合部材が配置されている。
【０００７】
使用時には、ペット用吸収性物品の第１端部領域を引っ張って、ペット用吸収性物品の長手方向に沿う側部と、ペットの胴回りとを密着させ、この状態で、ペット用吸収性物品の第１端部領域の内面に配置されたフック部材を第２端部領域の外面に配置された被係合部材に係合させる。これにより、ペット用吸収性物品がペットの胴回りに好適に巻きつけられた状態が保持される。
【発明の概要】
【発明が解決しようとする課題】
【０００８】
しかしながら、以上のように、ペット用吸収性物品の内面にフック部材を設けた場合には、使用前の包装時や梱包時等において、ペット用吸収性物品が長手方向に折り畳まれた状態で、フック部材がペット用吸収性物品の内面を構成する表面シート等の意図しない場所に係合してしまう場合があることを、発明者らは認識していた。このように、使用前に、フック部材が表面シート等に係合してしまうと、ペット用吸収性物品を使用する場合に、フック部材と表面シート等との係合を解除する必要がある。そして、フック部材と表面シート等との係合を解除するときに、ペット用吸収性物品の内面が損傷してしまう場合があった。
【課題を解決するための手段】
【０００９】
本発明のいくつかの実施形態によれば、ペット用吸収性物品は、ペットの胴回りに巻きつけられて装着される。該ペット用吸収性物品は、液透過性の不織布を有する表面シートと、液不透過性の裏面層と、前記表面シートと前記裏面層の間に配置される吸収体と、前記ペット用吸収性物品の長手方向において互いに対向する第１端部及び第２端部と、前記ペット用吸収性物品の幅方向において互いに対向する一対の側部と、前記第１端部の近傍の前記表面シート側に、前記ペット用吸収性物品の幅方向に沿って配置されるフック部材と、前記第２端部の近傍の前記裏面層側に設けられ前記フック部材に係合可能な第１被係合部と、前記ペット用吸収性物品の長手方向に延びて形成される一対の折線と、前記第１端部の近傍の前記表面シート側における前記一対の折線よりも前記ペット用吸収性物品の幅方向の外側にそれぞれ設けられ、前記一対の折線を起点として前記一対の側部を折り返した状態で、前記フック部材の少なくとも一部を覆って前記表面シートの前記フック部材に対する係合力よりも弱い係合力で該フック部材に係合可能な第２被係合部と、を備える。
【図面の簡単な説明】
【００１０】
【図１】本発明の第１実施形態に係るペット用吸収性物品を示す斜視図である。
【図２】第１実施形態のペット用吸収性物品を表面シート側から視た平面図である。
【図３】第１実施形態のペット用吸収性物品を裏面層側から視た平面図である。
【図４】図２のＡ−Ａ線断面図である。
【図５】図１のＢ−Ｂ線断面図である。
【図６】図２のＣ−Ｃ線断面図である。
【図７】第１実施形態のペット用吸収性物品において一対の折線を起点として一対の側部を表面シート側に折り返した状態を表面シート側から視た平面図である。
【図８】図７のＤ−Ｄ線断面図である。
【図９】第１実施形態のペット用吸収性物品をペットに装着する過程を示す図であり、第２端部領域をペットの背中に位置させた状態を示す図である。
【図１０】第１実施形態のペット用吸収性物品をペットの胴回りに装着した状態を示す図である。
【図１１】第１実施形態に係るペット用吸収性物品の製造方法において形成された連続体を示す平面図である。
【図１２】第１実施形態に係るペット用吸収性物品の製造方法において、折り曲げられた構成を示す平面図である。
【図１３】本発明の第２実施形態に係るペット用吸収性物品を表面シート側から視た平面図である。
【図１４】本発明の第２実施形態に係るペット用吸収性物品を裏面層側から視た平面図である。
【図１５】本発明の第３実施形態に係るペット用吸収性物品を表面シート側から視た平面図である。
【図１６】本発明の第４実施形態に係るペット用吸収性物品を表面シート側から視た平面図である。
【図１７】図１４のＥ−Ｅ線断面図である。
【図１８】本発明の第５実施形態に係るペット用吸収性物品を表面シート側から視た平面図である。
【発明を実施するための形態】
【００１１】
以下、本発明のペット用吸収性物品の好ましい各実施形態について、図面を参照しながら説明する。まず、第１実施形態のペット用吸収性物品１について、図１〜図８を参照しながら説明する。
【００１２】
第１実施形態のペット用吸収性物品１は、図１〜図３に示すように、互いに対向する第１端部１１及び第２端部１２と、これら第１端部１１及び第２端部１２に直交し、ペット用吸収性物品１の幅方向ＷＤにおいて対向する一対の側部１７と、を有して矩形形状に構成される。ペット用吸収性物品１は、ペットの胴回り部に巻きつけて装着される。このペット用吸収性物品１は、尿道口が後足の付け根間よりも前方に位置するペット（例えば、ミニチュアダックスフンド等の胴長短足犬）に特に好適に用いられる。
【００１３】
また、ペット用吸収性物品１は、図１〜図６に示すように、液透過性の表面シート２と、液不透過性の裏面層３（バックシート３）を構成する裏面シート３１及び防水シート３２と、吸収体４と、一対のサイドシート５１，５２と、第１弾性部材６１及び第２弾性部材６２と、フック部材としてのフックテープ７と、第１被係合部としてのループテープ２１と、第２被係合部２２と、一対の折線８と、を備える。
【００１４】
表面シート２は、矩形形状に構成される。この表面シート２は、主として、装着対象のペットの身体に当接する側の面を構成する。表面シート２としては、有孔又は無孔の不織布や多孔性プラスティックシートを用いることができる。本実施形態では、目付が１０〜４０ｇ／ｍ２のエアスルー不織布が表面シート２として用いられる。
【００１５】
裏面シート３１は、図４〜図６に示すように、表面シート２よりも幅広で、表面シート２と略等しい長さの矩形形状に構成される。裏面シート３１は、ペットの体に接触しない側である、ペット用吸収性物品１の反身体側の面を構成する。
防水シート３２は、裏面シート３１よりも幅狭、かつ、表面シート２よりも幅広に構成され、裏面シート３１における表面シート２側の面に配置される。
裏面シート３１及び防水シート３２としては、疎水性の不織布、不透水性のプラスティックフィルム、不織布と不透水性プラスティックフィルムとのラミネートシート、耐水性の高いメルトブローン不織布を強度の強いスパンボンド不織布で挟んだＳＭＳ不織布等を用いることができる。
【００１６】
吸収体４は、図５に示すように、重ね合わせられた表面シート２及び裏面層３の間に介在配置される。吸収体４は、図２及び図３に示すように、表面シート２及び裏面シート３１よりも幅が狭く、かつ、長さの短い矩形形状に構成される。吸収体４は、平面視において、表面シート２及び裏面シート３１の幅方向の略中央部に配置されて延びる。吸収体４としては、フラッフ状パルプ及び高吸収ポリマーを、ティッシュ等のコアラップ材により被覆したものを用いることができる。
吸収体４に用いられるフラッフ状パルプとしては、例えば、化学パルプ、セルロース繊維、レーヨン、アセテート等の人工セルロース繊維が挙げられる。高吸収ポリマーとしては、デンプン系、アクリル酸系、アミノ酸系の粒子状又は繊維状のポリマーが挙げられる。
【００１７】
一対のサイドシート５１，５２は、図２に示すように、細長い矩形形状に構成され、表面シート２の長手方向に沿う側部の身体側にそれぞれ配置される。一対のサイドシート５１，５２の長さは、表面シート２及び裏面シート３１の長さと略等しく構成される。一対のサイドシート５１，５２の外側縁は、図４〜図６に示すように、裏面シート３１の側縁の位置と一致している。一対のサイドシート５１，５２の外側縁側は、裏面シート３１の側部に接合されている。
【００１８】
一対のサイドシート５１，５２の内側縁の一部は、図１及び図５に示すように、自由端となっている。より具体的には、一対のサイドシート５１，５２の内側縁は、図４及び図６に示すように、ペット用吸収性物品１の長手方向ＬＤの一端側に位置する第１端部１１近傍、及び他端側に位置する第２端部１２近傍において、表面シート２に接合されている。そして、一対のサイドシート５１，５２の内側縁は、図１及び図５に示すように、一対のサイドシート５１，５２における長手方向ＬＤの一端部及び他端部を除く部分において、自由端となっている。
【００１９】
サイドシート５１，５２としては、撥水性又は疎水性を有するシートが好ましく用いられ、具体的には、スパンレース不織布、スパンボンド不織布、サーマルボンド不織布、メルトブローン不織布、ＳＭＳ不織布、ニードルパンチ不織布、エアスルー不織布等の各種不織布を用いることができる。不織布を構成する素材繊維としてはポリエチレン又はポリプロピレン等のオレフィン系、ポリエステル系、ポリアミド系等の合成繊維の他、レーヨンやキュプラ等の再生繊維、綿等の天然繊維を用いることができる。サイドシート５１，５２としては、目付が１０〜２５ｇ／ｍ２のＳＭＳ不織布が用いられる。
【００２０】
第１実施形態では、サイドシート５１，５２は、フックテープ７に対する係合力が弱い不織布により構成される。より具体的には、サイドシート５１，５２のフックテープ７に対する係合力は、表面シート２のフックテープ７に対する係合力よりも弱く構成されている。フックテープ７に対するサイドシート５１，５２の係合力は、好ましくは０．１Ｎ〜１．５Ｎであり、より好ましくは０．１Ｎ〜０．８Ｎであり、更に好ましくは０．３Ｎ〜０．６Ｎである。表面シート２に対する係合力は、０．６Ｎ〜３Ｎの範囲であり、好ましくは０．６Ｎ〜２Ｎの範囲である。
【００２１】
ここで、係合力は、以下の方法で求められる。
まず、フックテープを試験片として２５ｍｍｘ６０ｍｍでカットする。次に、フックテープの端部から１０ｍｍをチャックでつまむ。次に、フックテープを係合させる被着体であるサイドシート又は表面シートを、ステンレスパネルに両面テープで貼り付ける。フックテープを被着体に重ねた状態で、その上から７００ｇの圧着ローラを３００ｍｍ／ｍｉｎの速度で往復させ、圧着する。
上述のステンレス板をオートグラフ（島津製作所製）に取り付け、ステンレス板とフックテープとの剥離角度が１３５度となるようにフックテープの端部を引っ張って剥離する。このとき、係合が外れる瞬間の値を係合力（Ｎ）として測定し、これをフックテープの幅寸法（本測定では、２５ｍｍ）で割って、係合強度とする（Ｎ／２５ｍｍ（テープ幅））。フックテープの剥離は、チャックと試験片（フックテープ）との垂直方向の距離１０ｍｍ、引っ張り速度３００ｍｍ／ｍｉｎ、雰囲気２０度、６５％ＲＨ下で行う。
上記で求めた試験片の係合強度に、実施形態におけるサイドシート５１、５２の幅をかけた値が、本実施形態における係合力である。
【００２２】
第１弾性部材６１は、図１〜図３に示すように、一対のサイドシート５１，５２それぞれの内側縁近傍に配置される。より具体的には、第１弾性部材６１は、図５に示すように、内側縁側で折り返されたサイドシートの間に挟まれると共に、ホットメルト接着剤により伸長状態でサイドシートに固定される。第１弾性部材６１は、図２及び図３に示すように、伸長状態において、吸収体４の長手方向の長さよりも長い長さで一対のサイドシート５１，５２に配置される。
【００２３】
第２弾性部材６２は、図１〜図３に示すように、ペット用吸収性物品１の長手方向ＬＤに沿う一対の側部１７それぞれに配置される。より具体的には、第２弾性部材６２は、図５に示すように、一対のサイドシート５１，５２と裏面シート３１との間に配置される。また、第２弾性部材６２は、伸長状態で、ホットメルト接着剤により、サイドシート５１，５２及び裏面シート３１に固定される。
第２弾性部材６２は、伸長状態において、吸収体４の長手方向の長さよりも長い長さでペット用吸収性物品１の長手方向ＬＤに沿う一対の側部それぞれに配置される。
【００２４】
第１弾性部材６１及び第２弾性部材６２としては、細長く、伸び縮みする材料であればよく、天然ゴムからなる糸状ゴム、平ゴム等や、ウレタン、エチレン−酢酸ビニル共重合体（ＥＶＡ）、ＰＥ等の熱可塑性エラストマーを用いることができる。更に具体的には、熱可塑性エラストマーとしては、ポリブタジエン、ポリイソプレン、スチレン−ブタジエン共重合体、スチレン−イソプレン共重合体、ポリウレタン、エチレン−酢酸ビニル共重合体、エチレン−αオレフィン共重合体等を糸状に成形するか又はフィルムに成型し細幅にスリットしたものが挙げられる。
【００２５】
フックテープ７は、図１〜図３に示すように、第１端部１１の内面（表面シート２側の面）に配置される。フックテープ７は、矩形形状に構成され、フックテープ７の長手方向がペット用吸収性物品１の幅方向ＷＤに沿うように配置される。
フックテープ７は、図４に示すように、矩形形状の基部７１と、この基部７１の一方の面に設けられる複数のフック部７２と、を備える。
フックテープ７は、ポリプロピレン等の合成樹脂材により基部７１及び複数のフック部７２が一体的に形成される。
【００２６】
フックテープ７のペット用吸収性物品１の幅方向ＷＤに沿う方向（フックテープ７の長手方向）の長さＷ１は、図２に示すように、吸収体４の幅方向の長さＷ２と略等しく構成される。このフックテープ７の長手方向の長さＷ１は、ペット用吸収性物品１をペットに装着する場合の第１端部１１と第２端部１２との係合力を好適に得る観点から、ペット用吸収性物品１の幅方向ＷＤの長さＷ３の３０％〜８０％であることが好ましく、４５％〜７０％であることがより好ましい。
【００２７】
ループテープ２１は、図１〜図３に示すように、第２端部１２の外面（バックシート側）に配置される。ループテープ２１は、フックテープ７に係合可能な帯状に構成され、ループテープ２１の長手方向がペット用吸収性物品１の幅方向ＷＤに沿うように配置される。ループテープ２１の長手方向（ペット用吸収性物品１の幅方向）の長さは、フックテープ７の長手方向の長さＷ１と略等しく構成される。ループテープ２１の幅方向（ペット用吸収性物品１の長手方向）の長さは、フックテープ７の幅方向の長さよりも長く構成される。
【００２８】
ループテープ２１は、図６に示すように、帯状の基部８１と、この基部８１の一方の面に設けられる複数のループ部８２と、を備える。ループテープ２１は、複数のループ部８２が形成された面がペット用吸収性物品１の外面となるように、裏面層３に取り付けられる。
ループテープ２１は、ポリエステル等の合成樹脂材により基部８１及び複数のループ部８２が一体的に形成される。ループテープ２１のフックテープに対する係合力は、サイドシートの係合力と同様に求められ、０．６Ｎ〜３Ｎ、好ましくは０．６Ｎ〜２Ｎであることが好ましい。
【００２９】
一対の折線８は、図１〜図３、及び図７に示すように、ペット用吸収性物品１の長手方向ＬＤに延びて形成される。一対の折線８は、表面シート２、一対のサイドシート５１，５２、裏面シート３１及び防水シート３２に対して、ペット用吸収性物品１の長手方向ＬＤに延びる折り癖をつけることで形成され、一対の側部１７を表面シート２側に折り返す起点となる。
一対の折線８間の長さＷ４は、図２に示すように、吸収体４の幅方向の長さＷ２と同じか、吸収体４の幅方向の長さＷ２よりも広く構成される。
また、一対の折線８は、フックテープ７よりもペット用吸収性物品１の幅方向ＷＤの外側に形成される。更に、一対の折線８は、一対のサイドシート５１，５２の内側縁よりもペット用吸収性物品１の幅方向ＷＤの外側に位置している。そして、一対の折線８は、一対の折線８を起点として一対の側部１７を折り返した状態において、一対のサイドシート５１，５２の外側縁が一対のサイドシート５１，５２の内側縁よりもペット用吸収性物品の幅方向の内側に配置される位置に形成される（図７及び図８参照）。
【００３０】
第２被係合部２２は、図２及び図３に示すように、少なくとも、第１端部１１の近傍であって、表面シート２側における折線８よりもペット用吸収性物品１の幅方向ＷＤの外側に設けられる。
第２被係合部２２のフックテープ７に対する係合力は、ループテープ２１のフックテープ７に対する係合力よりも弱く構成される。また、この第２被係合部２２のフックテープ７に対する係合力は、表面シート２のフックテープ７に対する係合力よりも弱く構成される。
第１実施形態では、第２被係合部２２は、一対のサイドシート５１，５２の第１端部１１の近傍の部分により構成される。
【００３１】
第１実施形態のペット用吸収性物品１は、使用前には、図７に示すように、一対の折線８を起点として一対の側部１７が表面シート２側に折り返された状態で、更に、表面シート２側が内面となるように、長手方向ＬＤに二つ折りに折り畳まれている。
そして、この状態では、図８に示すように、フックテープ７の幅方向ＷＤの少なくとも両端部を含む一部分は、第２被係合部２２によって覆われる。第２被係合部２２によりフックテープ７が覆われる部分の面積は、好ましくは、フック部材の面積の５０％〜１００％である。
【００３２】
以上のペット用吸収性物品１は、第１弾性部材６１がペット用吸収性物品１の長手方向ＬＤに沿って伸長状態で一対のサイドシート５１，５２に固定されている。また、第２弾性部材６２がペット用吸収性物品１の長手方向ＬＤに沿って伸長状態でサイドシート５１，５２と裏面シート３１との間に固定されている。
そのため、ペット用吸収性物品１は、自然状態（外力を付加しない状態）では、第１弾性部材６１及び第２弾性部材６２が収縮して、図１に示すように、表面シート２側が内面を構成するように第１端部１１と第２端部１２とが近づいた立体的な形状となる。これにより、ペット用吸収性物品１の長手方向ＬＤに沿う一対の側部に、長手方向ＬＤに伸縮可能な一対の胴回りギャザー部１３が形成される（図１参照）。また、一対のサイドシート５１，５２における自由端側が立ち上がり、一対のサイドシート５１，５２の内面と表面シート２の外面との間に、それぞれ、ポケット部１４，１５が形成される（図５参照）。
【００３３】
次に、第１実施形態のペット用吸収性物品１をペットに取り付ける手順について、図９及び図１０を参照しながら説明する。図９及び図１０は、第１実施形態のペット用吸収性物品１をペットに装着する過程を示す図であり、図９は、第２端部１２をペットの背中に位置させた状態を示す図であり、図１０は、ペット用吸収性物品１をペットの胴回りに装着した状態を示す図である。
【００３４】
まず、図９に示すように、ペット用吸収性物品１の第２端部１２をペットの背中に位置させて、この第２端部１２の近傍を装着者の片方の手で押さえる。次いで、第２端部１２の近傍を片方の手で押さえたまま、ペット用吸収性物品１の第１端部１１を他方の手で持って、ペット用吸収性物品１をペットの腹側を覆うように巻きつける。
【００３５】
次いで、ペット用吸収性物品１の第１端部１１を引っ張って、一対の胴回りギャザー部１３をペットの胴回りと密着させる。
次いで、図１０に示すように、ペット用吸収性物品１の第１端部１１の内面（表面シート２側の面）に配置されたフックテープ７を第２端部１２の外面（裏面シート３１側の面）に配置されたループテープ２１に係合させる。これにより、ペット用吸収性物品１がペットの胴回りに巻きつけられる。
【００３６】
次に、第１実施形態のペット用吸収性物品１の製造方法について、図１１及び１２を参照しながら説明する。図１１及び図１２は、ペット用吸収性物品１の製造方法におけるそれぞれの工程の平面図を示す。
【００３７】
まず、ペット用吸収性物品１の連続体１００が形成される。より具体的には、帯状の表面シート２００と帯状の裏面層３００（図示せず）との間に、長手方向に所定間隔をあけて複数の吸収体４が配置される。
【００３８】
帯状の表面シート２００の上において、吸収体４が内部に配置されていない位置に、フックテープ７が取り付けられる。
【００３９】
次に、帯状の表面シート２００の一対の側部に帯状の第１サイドシート５１０及び帯状の第２サイドシート５２０が配置される。帯状の第１サイドシート５１０及び第２サイドシート５２０の内側部には、予め第１弾性部材６１が伸張した状態で配置され、帯状の第１サイドシート５１０及び第２サイドシート５２０の内側部を内側に折り返し、接着剤により接着して固定されている。
【００４０】
図１１に示すように、帯状の第１サイドシート５１０の外側部及び帯状の第２サイドシート５２０の外側部は、帯状の裏面層３００の外側部及び帯状の表面シート２００の外側部に接合される。このとき、帯状の表面シート２００の幅方向外側において、帯状の第１サイドシート５１０の外側部と帯状の裏面層３００との間、及び帯状の第２サイドシート５２０の外側部と帯状の裏面層３００との間に、第２弾性部材６２が配置された状態で接着される（図５参照）。
【００４１】
なお、帯状の裏面層３００の裏側において、吸収体４を間に挟んでフックテープ７と対向する位置に、ループテープ２１が接着される。
【００４２】
次に、図１２に示すように、帯状の第１サイドシート５１０及び帯状の第２サイドシート５２０が幅方向に折り重ねられるように、ペット用吸収性物品の連続体１００の一対の側部側が帯状の表面シート２００側に折り返される。より具体的には、ペット用吸収性物品の連続体１００における一対の側部１７が、帯状の表面シート２００側に折り返される。
【００４３】
ここで、帯状の第１サイドシート５１０及び帯状の第２サイドシート５２０のフックテープに重なる部分は、第２被係合部を構成している。帯状の第１サイドシート５１０及び帯状の第２サイドシート５２０は、折り返されることによりフックテープ７の一部を覆う。帯状の第１サイドシート５１０及び帯状の第２サイドシート５２０は、フックテープ７に対する係合力が弱いため、使用する際、サイドシート５１、５２をフックテープから容易に剥がすことができる。
【００４４】
図１２に示すように、折り返されたペット用吸収性物品の連続体１００は、長手方向に所定間隔をあけて幅方向に切断される。
【００４５】
切断されて形成されたペット用吸収性物品は、表面シート２が対向するように長手方向に二つ折りされる。そして、二つ折りされたペット用吸収性物品１は、複数枚が積層された状態で包装袋に収容される（図示せず）。
【００４６】
以上説明した第１実施形態のペット用吸収性物品１によれば、以下のような効果を奏する。
【００４７】
（１）第１端部１１の表面シート２側に、ペット用吸収性物品１の幅方向ＷＤに延びる矩形形状のフックテープ７を配置し、ペット用吸収性物品１の長手方向ＬＤに延びる一対の折線８を形成した。また、第１端部１１の近傍で表面シート２側における折線８よりもペット用吸収性物品１の幅方向ＷＤの外側に第２被係合部２２を配置し、フックテープ７に対する第２被係合部２２の係合力を、フックテープ７に対する表面シート２の係合力よりも弱く構成した。これにより、一対の折線８を起点として一対の側部１７を折り返したペット用吸収性物品１の使用前の状態において、フックテープ７の幅方向ＷＤの少なくとも両端部を含む一部分を、フックテープ７に対して表面シート２よりも剥がしやすい第２被係合部２２によって覆うことができる。よって、ペット用吸収性物品１を装着した場合の第１端部１１と第２端部１２との係合力を強くするために、ペット用吸収性物品１の幅方向ＷＤに長いフックテープ７を配置しても、ペット用吸収性物品１を使用しない場合に、フックテープ７をペット用吸収性物品１の意図しない部分（表面シート２や裏面シート３１）に係合しにくくできる。また、第２被係合部２２のフックテープ７に対する係合力を弱く構成したので、フックテープ７と第２被係合部２２との係合を解除した場合に第２被係合部２２を損傷しにくい。
【００４８】
（２）ペット用吸収性物品１の長手方向ＬＤに延びる側部１７に沿って一対のサイドシート５１，５２を配置し、一対のサイドシート５１，５２の内側縁を一対の折線８よりも内側に位置するように構成した。これにより、第２被係合部２２を一対のサイドシート５１，５２により構成できる。よって、ポケット部１４，１５を構成する一対のサイドシート５１，５２を利用して第２被係合部２２を構成できるので、ペット用吸収性物品１を構成する部材の点数を増やすことなく、フックテープ７が意図しない部分（表面シート２や裏面シート３１）に係合しにくいペット用吸収性物品１を製造できる。
【００４９】
（３）一対の折線８を起点として一対の側部１７を折り返した状態で、一対のサイドシート５１，５２の外側縁を、一対のサイドシート５１，５２の内側縁よりもペット用吸収性物品１の幅方向ＷＤの内側に位置するように構成した。これにより、第２被係合部２２によりフックテープ７を覆うことのできる面積をより広くすることができる。
【００５０】
（４）フックテープ７の長手方向の長さＷ１を、ペット用吸収性物品１の幅方向ＷＤの長さＷ３の３０％〜８０％（より好ましくは４５％〜７０％）とし、一対の折線８を起点として一対の側部１７を折り返した状態でフックテープ７において第２被係合部２２により覆われる部分の面積をフックテープ７の面積の５０％〜１００％となるように構成した。これにより、フックテープ７の面積の５０％以上を第２被係合部２２で覆うことができるので、フックテープ７の意図しない部分への係合をより低減できる。また、フックテープ７の意図しない部分への係合を低減できるので、フックテープ７を長く構成し、装着時の係合力を向上させられる。
【００５１】
（５）一対の折線８を、フックテープ７よりもペット用吸収性物品１の幅方向ＷＤの外側に形成した。これにより、剛性の大きいフックテープ７が配置されていない位置に折線８を形成できるので、一対の側部１７の折り返しを容易に行える。
【００５２】
次に、本発明の第２実施形態に係るペット用吸収性物品１について、図１３及び図１４を参照しながら説明する。図１３は、第２実施形態のペット用吸収性物品１を表面シート２側から視た平面図であり、図１４は、第２実施形態のペット用吸収性物品１を裏面シート３１側から視た平面図である。
尚、第２実施形態以降の説明にあたって、同一構成要件については同一符号を付し、その説明を省略もしくは簡略化する。
【００５３】
第２実施形態のペット用吸収性物品１は、主として、第１被係合部２１Ａが裏面シート３１により構成されている点において、第１実施形態と異なる。
第２実施形態では、裏面シート３１は、フックテープ７（フック部７２）が係合可能な不織布により構成される。裏面シート３１として、目付が１０ｇ／ｍ２〜３０ｇ／ｍ２のスパンボンド不織布が用いられる。本実施形態では、裏面シートのフックテープに対する係合力は、サイドシートの係合力と同様に求められ、０．６Ｎ〜３Ｎ，好ましくは０．６Ｎ〜２Ｎの範囲にあることが好ましい。このように、裏面シート３１としてフックテープ７に対する係合力がサイドシート５１，５２のフックテープ７に対する係合力よりも強い不織布が用いられる。即ち、サイドシート５１，５２のフックテープ７に対する係合力は、バックシート３のフックテープ７に対する係合力よりも弱く構成される。
【００５４】
第２実施形態のペット用吸収性物品１によれば、上述した（１）〜（５）の作用効果を奏する他、以下のような作用効果を奏する。
【００５５】
（６）第１被係合部２１Ａを裏面シート３１により構成し、サイドシート５１，５２のフックテープ７に対する係合力を、裏面シート３１のフックテープ７に対する係合力よりも弱く構成した。これにより、ループテープ２１を使用せずにフックテープ７を第１端部１１に係合させられるので、ペット用吸収性物品１の製造に係る部材の点数を削減できる。また、第２被係合部２２としてのサイドシート５１，５２のフックテープ７に対する係合力を弱く構成したので、フックテープ７とサイドシート５１，５２との係合を解除した場合にサイドシート５１，５２を損傷しにくい。
【００５６】
次に、本発明の第３実施形態に係るペット用吸収性物品１について、図１５を参照しながら説明する。図１５は、第３実施形態のペット用吸収性物品１を表面シート側から視た平面図である。
【００５７】
第３実施形態のペット用吸収性物品１は、主として、一対の折線８が吸収体４にも形成されている点、及びサイドシート５１，５２の構成が異なる点で、第２実施形態と異なる。
【００５８】
第３実施形態では、図１５に示すように、吸収体４は、第１端部１１の端縁近傍まで延びて配置されている。そして、一対の折線８は、表面シート２、一対のサイドシート５１，５２、裏面シート３１及び防水シート３２だけでなく、吸収体４にも折り癖をつけることで形成されている。
第３実施形態では、フックテープ７のペット用吸収性物品１の幅方向ＷＤに沿う方向の長さは、吸収体４の幅よりも短く構成されている。
【００５９】
第３実施形態では、一対のサイドシート５１，５２は、親水性不織布により構成される。また、一対のサイドシート５１，５２それぞれの内側縁には、第１弾性部材６１は配置されていない。このように、一対のサイドシート５１，５２それぞれの内側縁に第１弾性部材６１を配置しない場合、一対のサイドシート５１，５２における自由端側が立ち上がることがなくなり、一対のサイドシート５１，５２の各内面と表面シート２の外面との間には、ポケット部１４，１５が形成されない。
【００６０】
第３実施形態のペット用吸収性物品１によれば、上述した（１）〜（４）、（６）の作用効果を奏する。
【００６１】
次に、本発明の第４実施形態に係るペット用吸収性物品１について、図１６及び図１７を参照しながら説明する。図１６は、第４実施形態のペット用吸収性物品１を表面シート側から視た平面図であり、図１７は、図１６のＥ−Ｅ線断面図である。
【００６２】
第４実施形態のペット用吸収性物品１は、主として、第２被係合部２２がサイドシート５１，５２と別個独立に構成されている点で、第２実施形態と異なる。
第２被係合部２２は、一対のサイドシート５１，５２とは別個独立に、ペット用吸収性物品１の幅方向ＷＤに延びる矩形形状に形成される。また、第２被係合部２２は、不織布により構成される。
【００６３】
第４実施形態のペット用吸収性物品１によれば、上述した（１）〜（６）の作用効果を奏する他、以下のような効果を奏する。
【００６４】
（７）第２被係合部２２を、サイドシート５１，５２と別個独立に構成した。よって、サイドシート５１，５２のフックテープ７に対する係合力に依存することなく、サイドシート５１，５２を構成する不織布を選択できる。
【００６５】
次に、本発明の第５実施形態に係るペット用吸収性物品１について、図１８を参照しながら説明する。図１８は、第５実施形態のペット用吸収性物品１を表面シート側から視た平面図である。
【００６６】
第５実施形態のペット用吸収性物品１は、主として、フックテープ７の長手方向の長さＷ１が一対の折線８間の長さＷ４よりも長く構成されている点で、第２実施形態と異なる。
第５実施形態では、フックテープ７の長手方向の一端部及び他端部は、図１８に示すように、一対の折線８よりもペット用吸収性物品１の幅方向ＷＤの外側に位置する。また、フックテープ７は第１端部１１の端縁にできる限り近づいて配置される。
【００６７】
第５実施形態のペット用吸収性物品１によれば、上述した（１）〜（４）、（６）の作用効果を奏する他、以下のような効果を奏する。
【００６８】
（８）フックテープ７の長手方向の長さＷ１を、一対の折線８間の長さＷ４よりも長く構成した。よって、ペット用吸収性物品１をペットに装着した際における第１端部１１と第２端部１２との係合力を強めることができる。
【００６９】
（９）フックテープ７を第１端部１１の端縁にできる限り近づけて配置した。よって、ペット用吸収性物品１の装着時における有効長を長くできる。
【００７０】
以上、本発明の好ましい各実施形態について説明したが、本発明は、上述した各実施形態に制限されるものではなく、適宜変更が可能である。
【００７１】
例えば、上述した各実施形態では、裏面層３を、裏面シート３１及び防水シート３２の２層により構成したが、これに限らない。即ち、裏面層を、裏面シート又は防水シートのみにより構成してもよい。
【００７２】
また、上述した各実施形態では、サイドシート５１，５２を不織布により構成したが、これに限らない。即ち、サイドシートをフィルムにより構成してもよい。
また、第４実施形態では、第２被係合部２２を不織布により構成したが、これに限らない。即ち、第２被係合部をフィルムにより構成してもよい。
【００７３】
また、上述した各実施形態では、ペット用吸収性物品１を長手方向に二つ折りに折り畳んだ場合について説明したが、これに限らない。即ち、ペット用吸収性物品を長手方向に三つ折り以上に折り畳んでもよい。
【００７４】
上述した各実施形態では、様々な構成要素が矩形状又は実質的に矩形状のものとして記載されている。しかし、本発明はこれに限られない。即ち、楕円形、砂時計型等のさらなる実施形態が考えられる。
本出願は、日本出願２００１−１２４７６１の利益を主張し、その開示の全体がここに参照として組み入れられる。
【符号の説明】
【００７５】
１  ペット用吸収性物品
２  表面シート
３  裏面層
４  吸収体
７  フックテープ（フック部材）
８  折線
１１  第１端部
１２  第２端部
１７  側部
２１，２１Ａ  ループテープ（第１被係合部）
２２  第２被係合部
５１  サイドシート
５２  サイドシート
【図１】
0005901658.tif 000002
【図２】
0005901658.tif 000003
【図３】
0005901658.tif 000004
【図４】
0005901658.tif 000005
【図５】
0005901658.tif 000006
【図６】
0005901658.tif 000007
【図７】
0005901658.tif 000008
【図８】
0005901658.tif 000009
【図９】
0005901658.tif 000010
【図１０】
0005901658.tif 000011
【図１１】
0005901658.tif 000012
【図１２】
0005901658.tif 000013
【図１３】
0005901658.tif 000014
【図１４】
0005901658.tif 000015
【図１５】
0005901658.tif 000016
【図１６】
0005901658.tif 000017
【図１７】
0005901658.tif 000018
【図１８】
0005901658.tif 000019